(57)【要約】      （修正有）【課題】複数のユニットが組み合わされて構成される販売データ処理装置において、例えば広告等の展示に利用可能なスペースを、各ユニットが有する各面よりも広くする。【解決手段】上下に重ねて設置される複数の箱型の形状を有するユニット２、３を含む販売データ処理装置１であって、複数の前記ユニット２、３のうち、前記ユニット３よりも上段に設置される前記ユニット２の上辺の少なくとも１つに設けられ、シート状または板状の部材であるパネルの上辺を保持する上保持部５と、複数の前記ユニット２、３のうち、前記ユニット２よりも下段に設置される前記ユニット３の下辺であって前記上保持部と対向する下辺の少なくとも１つに設けられ、前記パネルの下辺を保持する下保持部６を備える。【選択図】図１−２
2020064330.tif 000002
【特許請求の範囲】
【請求項１】
上下に重ねて設置される複数の箱型の形状を有するユニットを含む販売データ処理装置であって、
複数の前記ユニットのうち、他の前記ユニットよりも上段に設置される前記ユニットの上辺の少なくとも１つに設けられ、シート状または板状の部材であるパネルの上辺を保持する上保持部と、
複数の前記ユニットのうち、他の前記ユニットよりも下段に設置される前記ユニットの下辺のうち前記上保持部と対向する位置に設けられ、前記パネルの下辺を保持する下保持部と、
を備える販売データ処理装置。
【請求項２】
前記上保持部および前記下保持部は、各々が設けられる前記ユニットに対して、着脱自在に構成されている
請求項１に記載の販売データ処理装置。
【請求項３】
前記上保持部および前記下保持部は、各々が設けられる前記ユニットに、一体的に設けられている
請求項１または２に記載の販売データ処理装置。
【請求項４】
前記上保持部および前記下保持部が互いの間に保持する前記パネルとして、複数種類から選択的に取り付けられて装置の外観の印象を定めるシートまたは板状の部材が使用可能である
請求項１〜３のいずれか１つに記載の販売データ処理装置。
【請求項５】
前記上保持部および前記下保持部が互いの間に保持する前記パネルとして、磁石がくっつく板金とフック状部材を引っ掛け可能な網状の部材との一方または両方により構成されて物品を保持可能な保持部材が使用可能である
請求項１〜４のいずれか１つに記載の販売データ処理装置。
【発明の詳細な説明】
【技術分野】
【０００１】
本発明の実施形態は、販売データ処理装置に関する。
【背景技術】
【０００２】
従来、入力された商品の情報を集計して、代金の算出や決済などを行う販売データ処理装置が用いられている。販売データ処理装置は近年多様化しており、ＰＯＳ（Point  of  Sale）端末、セルフレジ、セミセルフレジなどがある。ＰＯＳ端末は、商品情報の入力から決済まで店員の操作によるものである。セルフレジは、セルフＰＯＳとも呼ばれ、客が自身で商品情報の入力から決済まで行うためのものである。セミセルフレジは、店員が入力した商品情報に基づいて算出された代金の決済だけを、客の操作で行うものである。
【０００３】
上述のような販売データ処理装置には、従来、筐体の背面部などの広く空いた部分に、広告等を展示するための構成を備えるものがある（例えば特許文献１）。しかしながら、上述のような近年の装置の多様化に伴う各機能部のユニット化や、各部の小型化によって、従来のように広い面積が空くことが少なくなくなってきている。
【発明の概要】
【発明が解決しようとする課題】
【０００４】
本発明が解決しようとする課題は、複数のユニットが組み合わされて構成される販売データ処理装置において、例えば広告等の展示に利用可能なスペースを、各ユニットが有する各面よりも広くすることである。
【課題を解決するための手段】
【０００５】
実施形態の販売データ処理装置は、上下に重ねて設置される複数の箱型の形状を有するユニットを含むものであって、複数の前記ユニットのうち、他の前記ユニットよりも上段に設置される前記ユニットの上辺の少なくとも１つに設けられ、シート状または板状の部材であるパネルの上辺を保持する上保持部と、複数の前記ユニットのうち、他の前記ユニットよりも下段に設置される前記ユニットの下辺であって前記上保持部と対向する下辺の少なくとも１つに設けられ、前記パネルの下辺を保持する下保持部と、を備える。
【図面の簡単な説明】
【０００６】
【図１−１】図１−１は、第１の実施形態における販売データ処理装置の外観を示す斜視図である。
【図１−２】図１−２は、販売データ処理装置の外観を示す側面図である。
【図２−１】図２−１は、パネルが装着された販売データ処理装置の外観を示す斜視図である。
【図２−２】図２−２は、パネルをずらした販売データ処理装置の外観を示す斜視図である。
【図３】図３は、セミセルフレジを構成する販売データ処理装置の設置状態を示す斜視図である。
【図４】図４は、セルフレジを構成する販売データ処理装置の設置状態を示す斜視図である。
【図５】図５は、対面ＰＯＳ端末を構成する販売データ処理装置の設置状態を示す斜視図である。
【図６】図６は、第２の実施形態における販売データ処理装置の外観を示す斜視図である。
【図７】図７は、第３の実施形態における販売データ処理装置が備える複数のユニットの筐体および保持部の外観を示す斜視図である。
【発明を実施するための形態】
【０００７】
（第１の実施形態）
第１の実施形態について図面を用いて説明する。図１−１は、第１の実施形態における販売データ処理装置１の外観を示す斜視図である。図１−２は、販売データ処理装置１の外観を示す側面図である。本実施形態の販売データ処理装置１は、上下に重ねて設置される複数の箱型の形状を有するユニット２，３を含み、表示操作部４と、上保持部５および下保持部６を備えている。なお、上下方向は、図中の３軸のＺ軸方向である。
【０００８】
ユニット２，３は、箱型であって、上下に重ねて設置することを前提に形成されている。本実施形態では、ユニット２をユニット３の上に載置している。重ねられたユニット２，３は、互いの筐体２１，３１接触面（すなわち筐体２１の下面および筐体３１の上面）を、ねじ止め等により固定されている。
【０００９】
本実施形態のユニット２は、商品の表面に付されたバーコードなどのコード情報を読み取る読取装置を内蔵している。読取装置は、正面に設けられた透明窓２２の奥に、商品の表面に光を照射する光源や、照射した光が商品で反射されたものを受光するセンサなどを備えている。
【００１０】
本実施形態のユニット３は、レシートなどを発行するプリンタを内蔵している。プリンタは、ユニット３の正面に、レシートの発行口３２を備えている。発行口３２の下からは、発行されるレシートを支える台３３が突出している。プリンタは、スライダやレール等を備えて筐体３１に対して引き出し可能に構成されている。オペレータは、ロックを解除した上で、台３３をつかんで図中の３軸のＸ軸方向に引っ張ることにより、プリンタを筐体３１から引き出すことができる。プリンタの引き出しは、用紙の補充や交換、修理などの際に、行われる。なお、上述のロックは、プリンタが不必要に筐体３１から引き出されることを抑止するもので、店員が所定の操作により解除可能なものである。
【００１１】
表示操作部４は、例えば、ディスプレイデバイス４１やタッチパネル４２を備えて表示およびオペレータによる操作の受け付けを行うものである。ディスプレイデバイス４１は、表示操作部４に内蔵された制御部の制御に従って、オペレータに向けた情報を表示する。タッチパネル４２は、ディスプレイデバイス４１の表層に重ねて設けられ、ディスプレイデバイス４１の表示内容に応じた操作を、オペレータから受け付ける。このような表示操作部４は、複数のユニット２，３のうち最上段のユニット２の上面に、ねじ止め等により固定されている。表示操作部４は、上下方向にチルト可能である。
【００１２】
以下、説明の便宜上、表示操作部４が向いている方向を、販売データ処理装置１の正面として説明する。
【００１３】
レシートを発行するプリンタは、ロール紙を引き出した部分に印字して発行する都合上、奥行き方向（Ｘ軸方向）に沿って、奥から、ロール紙、印字部、発行口３２の順に配置されている。一般的なレシートの幅が例えば５８ｍｍ程度であるのに対し、ロール紙の使用前の径は９０〜１００ｍｍ程度である。このため、プリンタを内蔵するユニット３は、奥行きが長い直方体となりがちである。そして、それ以外のユニット（つまりユニット２）は、最も長さのあるユニット（つまりユニット３）に合わせた形とされる。これにより、ユニット２，３が重ねられた場合、背面部よりも側面部の面積が広くなる。
【００１４】
上保持部５，６は、互いの間に、パネル７を保持する。図２−１は、パネル７が装着された販売データ処理装置１の外観を示す斜視図である。図２−２は、パネル７をずらした販売データ処理装置１の外観を示す斜視図である。
【００１５】
上保持部５は、複数のユニット２，３のうち、上段に設置されるユニット２の上辺の少なくとも１つに設けられ、パネル７の上辺を保持する。下保持部６は、複数のユニット２，３のうち、下段に設置されるユニット３の下辺のうち上保持部５と対向する位置に設けられ、パネル７の下辺を保持する。
【００１６】
本実施形態の上保持部５は、レール状の部材であって、筐体２１の上辺の一つに、着脱自在に取り付け固定されている。同様に、下保持部６も、レール状の部材であって、筐体３１の下辺のうち上保持部５と対向する位置に、着脱自在に取り付け固定されている。
【００１７】
パネル７は、例えば、シート状または板状の部材である。板状としては、主には平板状、薄板状を想定しているが、パネル７が凹凸を有することを否定するものではない。
【００１８】
パネル７は、例えば、広告が印刷された紙（広告紙）に透明な樹脂製のシート（透明シート）を重ねたものである。透明シートは、広告紙の表面（広告内容が示された面）を覆って保護するものであってもよいし、或いは、広告紙を両面から挟むものであってもよい。
【００１９】
次に、本実施形態の販売データ処理装置１の設置状態の例を３形態、図３〜図５により紹介する。
【００２０】
図３は、セミセルフレジ１０１を構成する販売データ処理装置１の設置状態を示す斜視図である。セミセルフレジ１０１は、販売データ処理装置１と、現金会計機２１０とを備えている。現金会計機２１０は、紙幣入出金部と硬貨入出金部とを内蔵しており、紙幣および硬貨による決済を行う。なお、セミセルフレジ１０１は、電子マネーやクレジットカードによるキャッシュレス決済を行うカードリーダライタをも備えていてもよい。
【００２１】
セミセルフレジ１０１は、客２００により操作されるもので、店員３００が商品情報読取装置３１０に読み込ませた商品情報に基づいて算出された代金の決済を、行う。
【００２２】
セミセルフレジ１０１は、例えばＬ字型のカウンター４１０に設置されるのであれば、図３に示すように、店員３００の立ち位置を囲むように配置される。すなわち、商品情報読取装置３１０を通過する客２００の進行方向に沿った第１の位置Ａと、当該第１の位置Ａから折れ曲がった第２の位置Ｂとに、配置される。この配置により、カウンター４１０内の店員３００は、商品情報読取装置３１０の操作にあたりながら、セミセルフレジ１０１を操作する客２００の様子を知ることができる。
【００２３】
図４は、セルフレジ１０２を構成する販売データ処理装置１の設置状態を示す斜視図である。セルフレジ１０２は、販売データ処理装置１と、電子マネーやクレジットカードによるキャッシュレス決済を行うカードリーダライタとを備えている。
【００２４】
この例は、コンビニエンスストアなどでよくみられる配置である。この例においても、通常のＰＯＳ端末３２０を操作する店員３００の立ち位置を囲むＬ字型のカウンター４２０に設置される場合を想定する。セルフレジ１０２は、カウンター４２０の、ＰＯＳ端末３２０の並び方向から折れ曲がった位置に、配置される。この配置により、カウンター４２０内の店員３００は、ＰＯＳ端末３２０の操作にあたりながら、セルフレジ１０２を操作する客２００の様子を知ることができる。
【００２５】
図５は、対面ＰＯＳ端末１０３を構成する販売データ処理装置１の設置状態を示す斜視図である。対面ＰＯＳ端末１０３は、販売データ処理装置１と、会計機３３０とを備えている。会計機３３０は、紙幣入出金部や硬貨入出金部、電子マネーやクレジットカードによるキャッシュレス決済を行うカードリーダライタを備えており、現金による決済やキャッシュレス決済を行う。
【００２６】
さて、販売データ処理装置１において複数のユニット２，３が重ねられた場合、前述のように、背面部よりも側面部の面積が広くなる。このため、図３〜５で例示するような使われ方において、装置の背面部よりも側面部の方が、客に見えやすくなる。よって、このような重ねられたユニット２，３の側面部を広く使った広告の展示は、背面部などの他の向きの箇所や、或いは各ユニット２，３単体のいずれかの面を使った場合に比べて、大変に効果的であると考えられる。
【００２７】
本実施形態によれば、複数のユニットが組み合わされて構成される販売データ処理装置において、例えば広告等の展示に利用可能なスペースを、各ユニットが有する各面よりも広くすることができる。
これによれば、近年の装置の多様化に伴って各機能部が交換可能・組み合わせ自在にユニット化されたり、さらには各ユニットが小型化されたりすることで、従来のように、広告などに使用するために、空いた広い面積を確保することが難しい中、広告を展示するに足る十分な広さの面積を確保することができる。
【００２８】
（変形例１）
なお、パネル７は、例えば着色されたシートなどであってもよい。このように、パネル７として、色柄が異なる複数種類から選択的に取り付けられて装置の外観の印象を定めるシートまたは板状の部材を、採用するようにしてもよい。これによれば、販売データ処理装置１の外観のうち広い面積を占めるパネル７の色柄が容易に変更できるので、容易に装置の印象を変更することができる。またこれにより、店内の印象も変更できる。これは、販売データ処理装置１を多数備える店舗であると、顕著な効果が期待できる。
【００２９】
（変形例２）
また、パネル７は、例えば、磁石がくっつく材質の板金であってもよい。このようにすると、マグネットの使用により、備品などの物品を固定することができる。
【００３０】
（変形例３）
さらに、本実施形態では、複数のユニットを２台のユニットとして例示しているが、実施にあたっては、３台以上のユニットが重ねられるのであってもよい。また、例えば３段重ねのユニットを販売データ処理装置１が備える場合、パネル７は、最上段から最下段までに渡って存在していてもよいし、或いは、最上段および中段、または中段および最下段、の２段に渡って存在していてもよい。
【００３１】
（第２の実施形態）
第２の実施形態について図面を用いて説明する。なお、本実施形態は、第１の実施形態の変形例であるので、第１の実施形態で説明した箇所については、詳細な説明を省略し、同じ符号を用いる。
【００３２】
図６は、第２の実施形態における販売データ処理装置１０の外観を示す斜視図である。本実施形態の販売データ処理装置１０の上保持部５と下保持部６とは、互いの間に、網状部材７０を保持している。当該網状部材７０は、第１の実施形態におけるパネル７に相当するものである。
【００３３】
網状部材７０は、フック状の部材を引っ掛け可能な網状の部材により構成されて、備品などの物品を、固定ないし吊下げにより保持可能なものである。よって、網状部材７０は、例えばＳ字フック等の使用により、備品などの吊下げを可能にする。
【００３４】
なお、本実施形態では、第１の実施形態で説明したパネル７の全体が網状部材７０で構成された例について説明したが、実施にあたっては、第１の実施形態で説明したパネル７の一部が網状部材７０で構成されていてもよい。例えば、磁石がくっつく素材の板金と網状の部材とが組み合わせられてパネル７が構成されていてもよい。
【００３５】
（第３の実施形態）
第３の実施形態について図面を用いて説明する。なお、本実施形態は、第１の実施形態の変形例であるので、第１の実施形態で説明した箇所については、詳細な説明を省略し、同じ符号を用いる。
【００３６】
図７は、第３の実施形態における販売データ処理装置が備える複数のユニットの筐体２０，３０および保持部２５，３６の外観を示す斜視図である。本実施形態の筐体２０，３０は、アルミニウム材の押出成形により形成されていて、保持部２５，３６は、筐体２０，３０に、一体的に設けられている。これにより、筐体２０，３０を安価に形成することができるため、コストダウンを図ることができる。
【００３７】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
１…販売データ処理装置
２…ユニット、２１…筐体、２２…透明窓
３…ユニット、３１…筐体、３２…発行口、３３…台
４…表示操作部、４１…ディスプレイデバイス、４２…タッチパネル
５…上保持部
６…下保持部
７…パネル
１０１…セミセルフレジ
１０２…セルフレジ
１０３…対面ＰＯＳ端末
２００…客
２１０…現金会計機
３００…店員
３１０…商品情報読取装置
３２０…ＰＯＳ端末
３３０…会計機
４１０，４２０…カウンター
１０…販売データ処理装置、７０…網状部材
２０，３０…筐体、２５，３６…保持部
【先行技術文献】
【特許文献】
【００３９】
【特許文献１】昭６０−９５６８３号公報
【図１−１】
2020064330.tif 000003
【図１−２】
2020064330.tif 000004
【図２−１】
2020064330.tif 000005
【図２−２】
2020064330.tif 000006
【図３】
2020064330.tif 000007
【図４】
2020064330.tif 000008
【図５】
2020064330.tif 000009
【図６】
2020064330.tif 000010
【図７】
2020064330.tif 000011
【手続補正書】
【提出日】令和1年6月11日(2019.6.11)
【手続補正１】
【補正対象書類名】明細書
【補正対象項目名】００３９
【補正方法】変更
【補正の内容】
【００３９】
【特許文献１】実開昭６０−９５６８３号公報